(57)【要約】    【課題】  無線接続サービスの形態が複雑化しても、煩雑な操作を行うことなく、常に最適な無線接続サービスを実現することができる無線システムを提供することにある。    【解決手段】  無線制御端末１０１が、無線プリンタ１０３との実際の接続に必要な情報を取得し、無線撮像端末１０２に送出し、無線撮像端末１０２が無線プリンタ１０３との無線リンクを確立して無線プリンタ１０３に対して画像データの転送を行う際には、無線制御端末１０１から取得した上記情報に基づいて、無線リンクの確立と画像データの転送の手順を行う。【選択図】      図１
2005176247.tif 000002
【特許請求の範囲】
【請求項１】
無線接続サービス毎に規定されるデータ転送手順を用いる無線システムであって、
第１の無線機器は、第２の無線機器から該第２の無線機器に固有の接続情報を取得し、該接続情報を第３の無線機器に前記接続情報を送信するとともに所望の無線接続サービスを指示し、
前記第３の無線機器は、前記第１の無線機器から通知された前記接続情報に基づいて、前記第２の無線機器との間で通信回線を確立し、前記第１の無線機器から指示された無線接続サービスに対応するデータ転送手順を実行することを特徴とする無線システム。
【請求項２】
前記無線接続サービスは、画像データの送信、画像データの取得および閲覧、画像データの保存、画像データの印刷のいずれかを含むことを特徴とする請求項１記載の無線システム。
【請求項３】
無線接続サービス毎に規定されるデータ転送手順を用いる無線機器であって、
第１の無線機器から該第１の無線機器の固有の接続情報を取得する取得手段と、
前記取得手段により取得した接続情報を第２の無線機器に通知すると共に、所望の無線接続サービスを指示する指示手段とを有し、
前記第２の無線機器に、前記接続情報に基づいて前記第１の無線機器と接続させ、前記所望の無線接続サービスに対応するデータ転送を行わせることを特徴とする無線機器。
【請求項４】
前記所望の無線接続サービスは、画像データの保存、画像データの印刷のいずれかを含むことを特徴とする請求項３記載の無線機器。
【請求項５】
前記第２の無線機器が前記第１の無線機器と接続後に、前記第２の無線機器をリモート操作する操作手段を有することを特徴とする請求項３記載の無線機器。
【請求項６】
無線接続サービス毎に規定されるデータ転送手順を用いる無線機器であって、
第１の無線機器が第２の無線機器から取得した前記第２の無線機器に固有の接続情報と、前記第１の無線機器が所望の無線接続サービス情報とを前記第１の無線機器から受信する受信手段と、
前記受信手段により受信した前記接続情報に基づいて、前記第２の無線機器と接続し、前記無線サービス情報に基づくデータ転送を行う転送手段と
を有することを特徴とする無線機器。
【請求項７】
無線接続サービス毎に規定されるデータ転送手順を用いる無線機器の制御方法であって、
第１の無線機器から該第１の無線機器に固有の接続情報を取得する取得工程と、
前記取得工程において取得した接続情報を第２の無線機器に通知すると共に、所望の無線接続サービスを指示する指示工程とを有し、
前記第２の無線機器に、前記接続情報に基づいて前記第１の無線機器と接続させ、前記所望の無線接続サービスに対応するデータ転送を行わせることを特徴とする制御方法。
【請求項８】
無線接続サービス毎に規定されるデータ転送手順を用いる無線機器の制御方法であって、
第１の無線機器が第２の無線機器から取得した前記第２の無線機器に固有の接続情報と、前記第１の無線機器が所望の無線接続サービス情報とを前記第１の無線機器から受信する受信工程と、
前記受信工程において受信した前記接続情報に基づいて、前記第２の無線機器と接続し、前記無線サービス情報に基づくデータ転送を行う転送工程と
を有することを特徴とする制御方法。
【発明の詳細な説明】
【技術分野】
【０００１】
本発明は、無線接続サービス毎に規定されるデータ転送手順を用いる無線機器を有する無線システム、無線機器および制御方法に関する。
【背景技術】
【０００２】
近年、無線技術の発展に伴い、様々な電子機器に無線機能の実装が図られている。ＰＣ（Personal Computer）ネットワークの構築には、有線ＬＡＮ（Local Net Work）だけでなく、無線ＬＡＮによる接続が積極的に利用されるようになり、ＰＣのみならずプリンタなどの周辺機器においても、無線対応の開発が進んでいる。また、キーボード、マウスなどのヒューマンインターフェースデバイス（ＨＩＤ）や、これまでは必要に応じてケーブル接続されていたデジタルカメラなどの一時利用周辺機器など、機器同士の個別の接続にも無線技術が採用されつつある。
【０００３】
これらは、ＩＣ製造技術の発達に加え、これまでは各メーカーが独自に開発していた無線通信方式の規格の標準化活動が活発化したことにより、ＩＣ、モジュールの製造コストの低廉化と小型化が進んだことに起因する。また、モジュール化された無線機能部品の採用と、標準化により異なるメーカー間での相互接続性能が保証されることにより、無線機器メーカー以外のメーカーに対しても、無線機能付き製品による市場参入が容易になり、さらに、これまでは実装が困難だった電子機器にも無線機能を実装することで新たな製品展開の広がりを見せ始めている。
【０００４】
現在標準規格化されている無線技術としては、主に無線ＬＡＮとしての採用が進められているIEEE 802.11bや、近距離でのケーブル接続の代用としてのBluetoothなどがある。IEEE 802.11bは、有線イーサネット（登録商標）のネットワークを無線回線上に構築するものであり、実行速度は５〜６Ｍbps程度であるが、そのサービス形態は、ＴＣＰ／ＩＰに特化されたものである。一方、Bluetoothは、実行速度は１Ｍbps弱と低速ながらも、接続機器毎に手順の最適化されたプロファイルを用意することで、ダイアルアップやＬＡＮなどのネットワーク接続、プリンタへの画像転送やキーボードなどのＨＩＤ接続、携帯電話やデジタルカメラなどのデータ転送のためのシリアル接続など、その接続サービス形態は、多種多様に渡るものとなる。
【０００５】
これらの無線接続機能を有する電子機器としては、ＰＣのように両方式の無線機能を搭載し、各接続サービスも複数に対応可能なものから、データ転送機能とリモート操作機能のみ実装されたデジタルカメラなど、その無線機能の対応は、様々である。
【０００６】
例えば、携帯電話からカメラを操作する技術が提案されている（例えば、特許文献１を参照）。これは、携帯電話がカメラから画像を受信し、受信した画像を公衆網に送信するものである。
【特許文献１】特開２００２−１０１２２６号公報
【発明の開示】
【発明が解決しようとする課題】
【０００７】
しかしながら、多様な無線機能付き情報機器の出現に伴い標準化された無線技術に関しては、その規格に従った運用形態には、必ずしも効率的ではない状況が発生することがある。例えば多様な接続サービスを持つ機器間において、１つの機器が複数の無線接続を別々の機器に対して確立する場合や、接続先を順次変更する場合など、複雑な接続サービスを実現する場合などに、効率的でない状況が発生する。
【０００８】
また、機器本来の機能的制約などから、無線機能部分の操作には、必ずしも適していないインターフェースを有する機器や、制御操作そのものが制限されている機器なども存在し、これらの操作に困難を生じることもある。
【０００９】
本発明の目的は、無線接続サービスの形態が複雑化しても、煩雑な操作を行うことなく、常に最適な無線接続サービスを実現することができるようにすることにある。
【課題を解決するための手段】
【００１０】
本発明は、上記目的を達成するため、無線接続サービス毎に規定されるデータ転送手順を用いる無線システムであって、第１の無線機器は、第２の無線機器から該第２の無線機器に固有の接続情報を取得し、該接続情報を第３の無線機器に前記接続情報を送信するとともに所望の無線接続サービスを指示し、前記第３の無線機器は、前記第１の無線機器から通知された前記接続情報に基づいて、前記第２の無線機器との間で通信回線を確立し、前記第１の無線機器から指示された無線接続サービスに対応するデータ転送手順を実行することを特徴とする。
【００１１】
また、無線接続サービス毎に規定されるデータ転送手順を用いる無線機器であって、第１の無線機器から該第１の無線機器に固有の接続情報を取得する取得手段と、前記取得手段により取得した接続情報を第２の無線機器に通知すると共に、所望の無線接続サービスを指示する指示手段と、を有し、前記第２の無線機器に、前記接続情報に基づいて前記第１の無線機器と接続させ、前記所望の無線接続サービスに対応するデータ転送を行わせることを特徴とする。
【００１２】
また、無線接続サービス毎に規定されるデータ転送手順を用いる無線機器であって、第１の無線機器が第２の無線機器から取得した前記第２の無線機器に固有の接続情報と、前記第１の無線機器が所望の無線接続サービス情報とを前記第１の無線機器から受信する受信手段と、前記受信手段により受信した前記接続情報に基づいて、前記第２の無線機器と接続し、前記無線サービス情報に基づくデータ転送を行う転送手段と、を有することを特徴とする。
【００１３】
また、無線接続サービス毎に規定されるデータ転送手順を用いる無線機器の制御方法であって、第１の無線機器から該第１の無線機器に固有の接続情報を取得する取得工程と、前記取得工程において取得した接続情報を第２の無線機器に通知すると共に、所望の無線接続サービスを指示する指示工程と、を有し、前記第２の無線機器に、前記接続情報に基づいて前記第１の無線機器と接続させ、前記所望の無線接続サービスに対応するデータ転送を行わせることを特徴とする。
【００１４】
また、無線接続サービス毎に規定されるデータ転送手順を用いる無線機器の制御方法であって、第１の無線機器が第２の無線機器から取得した前記第２の無線機器に固有の接続情報と、前記第１の無線機器が所望の無線接続サービス情報とを前記第１の無線機器から受信する受信工程と、前記受信工程において受信した前記接続情報に基づいて、前記第２の無線機器と接続し、前記無線サービス情報に基づくデータ転送を行う転送工程と、を有することを特徴とする。
【発明の効果】
【００１５】
本発明によれば、無線接続サービスの形態が複雑化しても、煩雑な操作を行うことなく、常に最適な無線接続サービスを実現することができる。
【発明を実施するための最良の形態】
【００１６】
以下、本発明の実施の形態について図面を参照しながら説明する。
【００１７】
図１は本発明の実施の形態に係る無線制御端末とその接続相手となる無線機能搭載機器とを備えるシステム構成を模式的に示す図、図２は図１のシステムにおいて無線撮像端末１０２で撮影した画像を無線プリンタ１０３により印刷する際のシーケンスを示す図である。
【００１８】
本実施の形態のシステムは、図１に示すように、無線制御端末１０１と、無線撮像端末１０２と、無線プリンタ１０３とを備える。これらに機器には、共通の方式の無線通信機能が組み込まれており、互いに通信を行うことができる。各機器間の無線接続には、その接続目的毎にプロファイルが規定されており、互いに対応するプロファイルでのみ接続が可能となる。本実施の形態においては、無線方式としてBluetoothが用いられるが、これに限定されるものではなく、接続目的に応じてプロファイルの規定された無線方式であれば、他の方式でもよい。
【００１９】
無線制御端末１０１と無線撮像端末１０２は、BluetoothのＢＩＰ（Basic Imaging Profile）により相互に接続可能であり、無線制御端末１０１から無線撮像端末１０２の操作制御や画像の取得などが可能となる。無線プリンタ１０３は、同様にＢＩＰに対応しており、無線撮像端末１０２から接続することにより、ＰＣなどを介さずに直接撮影画像のプリントを行うことができる。
【００２０】
ここで、無線撮像端末１０２で撮影した画像を無線制御端末１０１上で確認し、特定の画像を無線プリンタ１０３により印刷するという状況を想定し、この場合の操作に関して、従来の操作形態と本実施の形態による操作形態とを対比して説明する。
【００２１】
従来の操作形態の場合、通常は、まず無線制御端末１０１がマスターとなって無線撮像端末１０２に対してＢＩＰにより無線リンクを確立し、無線撮像端末１０２に装着されているメモリに記憶されている画像のサムネイル画像の取得を行う。その後、ユーザは、無線制御端末１０１上で確認したサムネイル画像から印刷する画像のファイル名などを確認する。そして、ユーザは改めて無線撮像端末１０２に持ち替えて操作し、無線撮像端末１０２から無線プリンタ１０３に対してＢＩＰにより無線リンクを確立し、無線撮像端末１０２を操作することで、無線制御端末１０１上で確認した画像ファイルを検索し、無線プリンタ１０３に対して印刷の指示を出すことになる。これは、手順として煩雑であり、しかも、ユーザは、無線制御端末１０１と無線撮像装置１０２の２つを操作しなければならない。
【００２２】
これに対し、本実施の形態の操作形態の場合は、図２に示すように、まず、無線制御端末１０１から無線撮像端末１０２に対して接続要求が出される（２０１）。そして、無線制御端末１０１と無線撮像端末１０２との間で、規定された手順により無線リンクが確立される（２０２）。この無線リンク確立の手順の詳細は、厳密に規格化されており、ここでは、その説明は省略する。
【００２３】
次いで、無線制御端末１０１から無線撮像端末１０２に対して、無線撮像端末１０２に装着されているメモリに記憶されている画像の閲覧のためのサムネイル画像データが要求され（２０３）、この要求に応答して無線撮像端末１０２から無線制御端末１０１へ、実際にサムネイル画像データが転送される（２０４）。また、無線制御端末１０１は、無線プリンタ１０３に対しても、接続要求を送出し（２０５）、無線プリンタ１０３から、実際の接続に必要な情報を取得する（２０６）。なお、Bluetooth通信では、端末同士を無線リンク確立しなくとも、相手との接続に必要な情報は収集できる。従って、無線制御端末１０１と無線プリンタ１０３との間では、無線リンクを確立する手順を必ずしも実行する必要はないので、図では省略する。また、無線制御端末１０１と上記無線プリンタ１０３とのネゴシエーション処理は、無線撮像端末１０２との接続処理よりも前に行われてもよい。
【００２４】
その後、ユーザが無線制御端末１０１上でサムネイル画像の閲覧を行い、印刷画像を特定すると、無線制御端末１０１から無線撮像端末１０２に対して、無線プリンタ１０３との新規無線リンク確立の指示が送出される（２０７）。そして、印刷画像の指定ととともに、無線プリンタ１０３から既に取得した、無線撮像端末１０２と無線プリンタ１０３との接続に必要な情報が無線撮像端末１０２に送出される（２０８）。実際の新規無線リンク確立指示の動作トリガは、無線制御端末１０１のユーザインタフェース上でのボタンクリックなど、簡易に実現されればよい。
【００２５】
無線撮像端末１０２は、無線制御端末１０１から取得した情報に基づき、無線プリンタ１０３に対して無線リンクの確立を行う（２０９）。この無線撮像端末１０２と無線プリンタ１０３の無線リンクの確立は、無線制御端末１０１から取得した、無線撮像端末１０２と無線プリンタ端末１０３との接続に必要な情報に基づいて行われるので、ネゴシエーション処理を行うことなく、即座に行うことができる。そして、無線撮像端末１０２は、指示された画像データの転送を行う（２１０）。無線プリンタ１０３は、無線撮像端末１０２から転送された画像データを受信し、この画像データの印刷を行う。
【００２６】
このように、本実施の形態によれば、無線制御端末１０１が、無線プリンタ１０３との実際の接続に必要な情報を取得し、無線撮像端末１０２に送出し、無線撮像端末１０２が無線プリンタ１０３との無線リンクを確立して無線プリンタ１０３に対して画像データの転送を行う際には、無線制御端末１０１から取得した上記情報に基づいて、無線リンクの確立と画像データの転送の手順を行うことにより、無線接続サービスの形態が複雑化しても、煩雑な操作を行うことなく、常に最適な接続サービスを実現することができる。
【００２７】
（第２の実施の形態）
次に、本発明の第２の実施の形態について図３および図４を参照しながら説明する。図３は本発明の第２の実施の形態に係る無線制御端末とその接続相手となる無線機能搭載機器とからなるシステム構成を模式的に示す図、図４は図３のシステムにおいて無線撮像端末３０２で撮影した画像を無線ストレージ端末３０３に保存する際のシーケンスを示す図である。
【００２８】
本実施の形態のシステムは、図３に示すように、無線制御端末３０１と、無線撮像端末３０２と、無線ストレージ端末３０３とから構成され、それぞれの機器には、共通の方式の無線通信機能が組み込まれている。本実施の形態においては、上記第１の実施の形態と同様に、共通の無線方式として、Bluetoothが用いられている。
【００２９】
無線制御端末３０１と無線撮像端末３０２は、BluetoothのＢＩＰにより、相互に接続可能であり、無線制御端末３０１から無線撮像端末３０２の操作制御や画像の取得などが可能となる。無線ストレージ端末３０３は、同様にＢＩＰに対応しており、無線撮像端末３０２と接続され、無線撮像端末３０２から転送された画像データの保存を行うことができる。
【００３０】
ここで、無線撮像端末３０２が無線制御端末３０１によりリモートコントロールされた状態での撮影中に、無線撮像端末３０２のメモリが一杯になり、無線撮像端末３０２で撮影された画像データを無線ストレージ端末３０３に転送するという状況を想定し、この場合の操作に関して、従来の操作形態と本実施の形態による操作形態とを対比して説明する。
【００３１】
従来の操作形態の場合、まず無線制御端末３０１がマスターとなって無線撮像端末３０２に対してＢＩＰにより無線リンクを確立し、撮影操作のリモートコントロールを行う。その後、無線撮像端末３０２において、メモリが一杯になり、無線撮像端末３０３からその旨を示す警告が発生されると、ユーザは無線制御端末３０１から改めて無線撮像端末３０２に持ち抱えて操作し、無線撮像端末３０２と無線ストレージ端末３０３との間で無線リンクを確立し、無線撮像端末３０２から撮影した画像ファイルを無線ストレージ端末３０３に転送することになる。このような手順は、煩雑である。
【００３２】
これに対し、本実施の形態による操作形態の場合、まず、無線制御端末３０１から無線撮像端末３０２に対して接続要求を出し（４０１）、その後、無線制御端末３０１と無線撮像端末３０２との間で、規定された手順により無線リンクが確立される（４０２）。この無線リンク確立の手順の詳細は、厳密に規格化されており、ここでは、その説明は省略する。
【００３３】
一方、無線制御端末３０１は、無線ストレージ端末３０３に対しても、接続要求を送出し（４０３）、無線ストレージ端末３０３との接続に必要な情報を取得する（４０４）。なお、Bluetooth通信では、端末同士を無線リンク確立しなくとも、相手との接続に必要な情報は収集できる。従って、無線制御端末３０１と無線ストレージ端末３０３は、実際に無線リンクを確立する手順は、必ずしも実行する必要はないので、図では省略する。なお、無声制御端末１０１による無線ストレージ端末３０３とのネゴシエーション処理は、無線撮像端末３０２との接続処理より前に行うようにしてもよい。
【００３４】
次いで、ユーザが無線制御端末３０１上から、画像撮影を行うように無線撮像端末３０２に対してリモートコントロールを行う（４０５）。この画像撮影中において、無線撮像端末３０２のメモリが一杯になると、その旨を示す警告が無線撮像端末３０２から無線制御端末３０１に出される（４０６）。これに応答して無線制御端末３０１は、無線撮像端末３０２に対して、無線ストレージ端末３０３との新規無線リンク確立の指示を送出し（４０７）、また、データ転送の指示とともに無線ストレージ端末３０３から取得した接続に必要な情報を送出する（４０８）。実際の新規無線リンク確立指示の動作トリガは、無線制御端末３０１のユーザインタフェース上でのボタンクリックなど、簡易に実現されればよい。
【００３５】
無線撮像端末３０２は、無線制御端末３０１から取得した情報に基づいて無線ストレージ端末３０３と無線リンク確立することで、ネゴシエーション処理を行うことなく、無線ストレージ端末３０３に対して即座に無線リンクの確立を行うことができる（４０９）。無線撮像端末３０２は、無線ストレージ端末３０３との無線リンクが確立されると、無線制御端末３０１からの指示に従って、無線ストレージ端末３０３に対して、画像データの転送を行う（４１０）。無線ストレージ端末３０３は、転送された画像データを保存する。
【００３６】
以上のように本実施形態においても、無線制御端末１０１が無線ストレージ端末３０３０から取得した接続情報を用いて、無線撮像装置３０２と無線ストレージ端末３０３との無線リンク確立を行うので、無線接続サービスの形態が複雑化しても、煩雑な操作を行うことなく、常に最適な接続サービスを実現することができる。
【００３７】
（第３の実施の形態）
次に、本発明の第３の実施の形態について図５および図６を参照しながら説明する。図５は本発明の第３の実施の形態に係る無線制御端末とその接続相手となる無線機能搭載機器とからなるシステム構成を模式的に示す図、図６は図５のシステムにおいて無線撮像端末５０２で撮影した画像を無線プリンタ５０３で印刷しながら無線ストレージ端末５０４に保存する際のシーケンスを示す図である。
【００３８】
本実施の形態のシステムは、図５に示すように、無線制御端末５０１と、無線撮像端末５０２と、無線プリンタ５０３と、無線ストレージ端末５０４とを備え、これらの機器には、上記第１の実施の形態と同様に、共通の方式の無線通信機能として、Bluetoothが組み込まれている。
【００３９】
無線制御端末５０１と無線撮像端末５０２は、互いに、BluetoothのＢＩＰにより接続可能であり、無線制御端末５０１から無線撮像端末５０２の操作制御や画像の取得などが可能となる。無線プリンタ５０３は、同様にＢＩＰに対応しており、無線撮像端末５０２と接続することによって、ＰＣなどを介さずに直接撮影画像のプリントを行うことができる。無線ストレージ端末５０４も、同様にＢＩＰに対応しており、無線撮像端末５０２と接続することによって、撮影画像データの保存を行うことができる。
【００４０】
ここで、無線制御端末５０１が無線撮像端末５０２をリモートコントロールして無線撮像端末５０２で撮影を行いながら、無線撮像端末５０２で撮影された任意の画像を無線プリンタ５０３に出力するとともに、無線ストレージ端末５０４に保存する場合を想定し、この場合の操作に関して、従来の操作形態と本実施の形態による操作形態とを対比して説明する。
【００４１】
従来の操作形態の場合、まず、無線制御端末５０１がマスターとなり、無線撮像端末５０２に対して、ＢＩＰにより無線リンクを確立し、撮影操作のリモートコントロールを行う。その後、画像データの印刷および保存の必要が生じると、無線撮像端末５０２に記憶されている所望の画像データを、一旦、無線制御端末５０１に転送し、その後、改めて無線制御端末５０１から、無線プリンタ５０３および無線ストレージ端末５０４に対して無線リンクを確立し、画像ファイルを無線プリンタ５０３に出力し、さらに無線ストレージ端末５０４に転送することになる。この手順は煩雑であり、また、無線制御端末５０１への画像データの転送が一時的な処理でしかなく、無駄な転送手順を踏むこととなる。
【００４２】
これに対し、本実施の形態の操作形態の場合、図６に示すように、まず無線制御端末５０１から無線撮像端末５０２に対して接続要求が出され（６０１）、無線制御端末５０１と無線撮像端末５０２との間で、規定された手順により、無線リンクが確立される（６０２）。この無線リンクの確立手順の詳細は、厳密に規格化されており、ここではその説明は省略する。
【００４３】
一方、無線制御端末５０１は、無線プリンタ５０３に対しても接続要求を送出し（６０３）、無線プリンタ５０３から、無線プリンタ５０３との接続に必要な情報を取得する（６０４）。さらに、無線制御端末５０１は、無線ストレージ端末５０４に対しても接続要求を送出し（６０５）、無線ストレージ端末５０４から、無線ストレージ端末５０４との接続に必要な情報を取得する（６０６）。なお、Bluetooth通信では、端末同士を無線リンク確立しなくとも、相手との接続に必要な情報は収集できる。従って、無線制御端末５０１と無線プリンタ５０３、無線制御端末５０１と無線ストレージ端末５０４との間に実際に無線リンクを確立する手順は、必ずしも実行する必要はないので、図では省略する。また、上記無線プリンタ５０３および無線ストレージ端末５０４とのネゴシエーション処理は、無線撮像端末５０２との接続処理より前に行われてもよい。
【００４４】
ユーザが無線制御端末５０１上から無線撮像端末５０２のリモートコントロールを行い、撮影中に、撮影した画像データの印刷およびバックアップのための保存が必要となった場合（６０７）、無線制御端末５０１から、無線撮像端末５０２に対して、無線プリンタ５０３および無線ストレージ端末５０４との新規無線リンク確立の指示が送出され（６０８）、そして、画像データのプリント指示、データ転送の指示とともに既に取得されている、無線プリンタ端末５０３、無線ストレージ端末との接続に必要な情報が無線撮像端末５０２に送出される（６０９）。実際の新規無線リンク確立指示の動作トリガは、無線制御端末５０１のユーザインタフェース上でのボタンクリックなど、簡易に実現されればよい。
【００４５】
無線撮像端末５０２は、無線制御端末５０１から取得した情報に基づき、無線プリンタ５０３および無線ストレージ端末５０４に対して無線リンクの確立を行うことで、ネゴシエーション処理を行うことなく、無線プリンタ５０３および無線ストレージ端末５０４に対して即座に無線リンクの確立を行うことができる（６１０，６１１）。そして、無線撮像端末５０２は、無線制御端末５０１の指示に従って、画像データを、無線プリンタ５０３、無線ストレージ端末５０４にそれぞれ転送する（６１２，６１３）。無線プリンタ５０３は、転送された画像データの印刷を行い、無線ストレージ端末５０４は、転送された画像データの保存を行う。ここで、無線通信の規格上可能であれば、無線プリンタ５０３、無線ストレージ端末５０４に対して、画像データが同時送信とするようにしてよい。この場合、無線プリンタ５０３、無線ストレージ端末５０４のそれぞれに個別に画像データを送信するのに比して、転送時間の短縮を図ることができる。
【００４６】
以上のように本実施の形態においても、無線制御端末１０１が無線プリンタ端末５０３、無線ストレージ端末３０３０から取得した接続情報を用いて、無線撮像装置３０２と無線プリンタ端末５０３、無線撮像装置３０２と無線ストレージ端末３０３との無線リンク確立を行うので、無線接続サービスの形態が複雑化しても、煩雑な操作を行うことなく、常に最適な接続サービスを実現することができる。
【図面の簡単な説明】
【００４７】
【図１】本発明の実施の形態に係る無線制御端末とその接続相手となる無線機能搭載機器とを備えるシステム構成を模式的に示す図である。
【図２】図１のシステムにおいて無線撮像端末１０２で撮影した画像を無線プリンタ１０３により印刷する際のシーケンスを示す図である。
【図３】本発明の第２の実施の形態に係る無線制御端末とその接続相手となる無線機能搭載機器とからなるシステム構成を模式的に示す図である。
【図４】図３のシステムにおいて無線撮像端末３０２で撮影した画像を無線ストレージ端末３０３に保存する際のシーケンスを示す図である。
【図５】本発明の第３の実施の形態に係る無線制御端末とその接続相手となる無線機能搭載機器とからなるシステム構成を模式的に示す図である。
【図６】図５のシステムにおいて無線撮像端末５０２で撮影した画像を無線プリンタ５０３で印刷しながら無線ストレージ端末５０４に保存する際のシーケンスを示す図である。
【符号の説明】
【００４８】
１０１，３０１，５０１  無線制御端末
１０２，３０２，５０２  無線撮像端末
１０３，５０３  無線プリンタ
３０３，５０４  無線ストレージ端末
【図１】
2005176247.tif 000003
【図２】
2005176247.tif 000004
【図３】
2005176247.tif 000005
【図４】
2005176247.tif 000006
【図５】
2005176247.tif 000007
【図６】
2005176247.tif 000008